Podtech/llm-jp-corpus-v4-ja_patent huggingface dataset:
【手続補正書】
【提出日】平成28年1月22日(2016.1.22)
【手続補正１】
【補正対象書類名】特許請求の範囲
【補正対象項目名】全文
【補正方法】変更
【補正の内容】
【特許請求の範囲】
【請求項１】
漏れやすい（ｌｅａｋｙ）シキメートデヒドロゲナーゼ酵素をコードする遺伝子を含む、非芳香族炭素源から出発してｃｉｓ、ｃｉｓ−ムコン酸を生成する遺伝子操作された微生物。
【請求項２】
前記遺伝子操作された微生物が細菌である、請求項１に記載の遺伝子操作された微生物。
【請求項３】
前記遺伝子操作された微生物が大腸菌である、請求項１に記載の遺伝子操作された微生物。
【請求項４】
ａｒｏＺ、ｑａ−４、ａｓｂＦ、ａｒｏＹ、ｑｕｉＣおよびｃａｔＡＸからなる群から選択される１つまたは複数の外因性遺伝子をさらに含む遺伝子操作された微生物であって、前記外因性遺伝子がムコン酸経路において機能するタンパク質をコードする、請求項１に記載の遺伝子操作された微生物。
【請求項５】
ａｒｏＢ、ａｒｏＤ、ａｒｏＦ、ａｒｏＧ、ａｒｏＨ、ｔｋｔＡ、ｔａｌＢ、ｒｐｅおよびｒｐｉからなる群から選択される１つまたは複数の外因性遺伝子をさらに含む遺伝子操作された微生物であって、前記外因性遺伝子がシキミ酸経路において機能するタンパク質をコードする、請求項１に記載の遺伝子操作された微生物。
【請求項６】
ｔｙｒＲ遺伝子またはその相同体によりコードされる芳香族アミノ酸生合成の負の調節因子タンパク質の活性が実質的に低下したか、または排除された、請求項１に記載の遺伝子操作された微生物。
【請求項７】
フェニルアラニンによる阻害に対して実質的に耐性であるＤＡＨＰシンターゼ酵素をコードするａｒｏＧ＊遺伝子をさらに含む、請求項１に記載の遺伝子操作された微生物。
【請求項８】
ａｒｏＧ＊２０−８９３、ａｒｏＧ＊２０−８９７、ａｒｏＧ＊２０−８９９、ａｒｏＧ＊２０−９０１、ａｒｏＧ＊１１１、ａｒｏＧ＊２１１、ａｒｏＧ＊２１２、ａｒｏＧ＊３１１、ａｒｏＧ＊３１２、ａｒｏＧ＊４１１、ａｒｏＧ＊４１２およびａｒｏＧ＊５１１からなる群から選択されるＤＡＨＰシンターゼ酵素をコードするａｒｏＧ＊遺伝子を含む、請求項７に記載の遺伝子操作された微生物。
【請求項９】
アシネトバクター属の細菌のＱｕｉＣ酵素、または前記ＱｕｉＣ酵素の相同体をコードする外因性遺伝子を含む、非芳香族炭素源から出発してｃｉｓ、ｃｉｓ−ムコン酸を生成する遺伝子操作された微生物。
【請求項１０】
前記遺伝子操作された微生物が細菌である、請求項９に記載の遺伝子操作された微生物。
【請求項１１】
前記遺伝子操作された微生物が大腸菌である、請求項９に記載の遺伝子操作された微生物。
【請求項１２】
ａｒｏＺ、ｑａ−４、ａｓｂＦ、ａｒｏＹおよびｃａｔＡＸからなる群から選択される１つまたは複数の外因性遺伝子をさらに含む遺伝子操作された微生物であって、前記外因性遺伝子がムコン酸経路において機能するタンパク質をコードする、請求項９に記載の遺伝子操作された微生物。
【請求項１３】
ａｒｏＢ、ａｒｏＤ、ａｒｏＦ、ａｒｏＧ、ａｒｏＨ、ｔｋｔＡ、ｔａｌＢ、ｒｐｅおよびｒｐｉからなる群から選択される１つまたは複数の外因性遺伝子をさらに含む遺伝子操作された微生物であって、前記外因性遺伝子がシキミ酸経路において機能するタンパク質をコードする、請求項９に記載の遺伝子操作された微生物。
【請求項１４】
ｔｙｒＲ遺伝子またはその相同体によりコードされる芳香族アミノ酸生合成の負の調節因子タンパク質の活性が実質的に低下したか、または排除された、請求項９に記載の遺伝子操作された微生物。
【請求項１５】
フェニルアラニンによる阻害に対して実質的に耐性であるＤＡＨＰシンターゼ酵素をコードするａｒｏＧ＊遺伝子をさらに含む、請求項９に記載の遺伝子操作された微生物。
【請求項１６】
ａｒｏＧ＊２０−８９３、ａｒｏＧ＊２０−８９７、ａｒｏＧ＊２０−８９９、ａｒｏＧ＊２０−９０１、ａｒｏＧ＊１１１、ａｒｏＧ＊２１１、ａｒｏＧ＊２１２、ａｒｏＧ＊３１１、ａｒｏＧ＊３１２、ａｒｏＧ＊４１１、ａｒｏＧ＊４１２およびａｒｏＧ＊５１１からなる群から選択されるＤＡＨＰシンターゼ酵素をコードするａｒｏＧ＊遺伝子を含む、請求項１６に記載の遺伝子操作された微生物。
【請求項１７】
漏れやすい（ｌｅａｋｙ）シキメートデヒドロゲナーゼ酵素をコードする遺伝子をさらに含む、請求項９に記載の遺伝子操作された微生物。
【手続補正書】
【提出日】平成27年11月27日(2015.11.27)
【手続補正１】
【補正対象書類名】特許請求の範囲
【補正対象項目名】全文
【補正方法】変更
【補正の内容】
【特許請求の範囲】
【請求項１】
複数のクライアント側デバイスにブロードキャストするための方法であって、
ブロードキャストのオフエアを準備するために、ブロードキャスト画面を真似るステージング領域においてメディアブロードキャストをシミュレーションするための入力を受信するステップであって、前記メディアブロードキャストは、複数のメディアレイヤを含み、各レイヤは、コンテンツオブジェクトおよびシミュレーションされたメディアブロードキャストの配置によって定義される、ステップと、
異なるライブストリームで複数のレイヤのそれぞれに対する前記コンテンツオブジェクトを前記クライアント側デバイスのそれぞれへ送信することをトリガするステップと、
前記シミュレーションされた前記メディアブロードキャストにおいて前記レイヤの前記配置を定義する設計パラメーターを前記クライアント側デバイスのそれぞれへ送信することをトリガするステップとを含み、前記メディアが、前記シミュレーションされたメディアブロードキャストのものに実質的に一致するコンテンツオブジェクトおよび設計を有するクライアント側デバイスのそれぞれでブロードキャストをオンエアするように、前記クライアント側デバイスのそれぞれは、前記送信の前記コンテンツオブジェクトおよび設計パラメーターによってメディアブロードキャストの前記レイヤを組み立てるように適合されている、方法。
【請求項２】
前記メディアブロードキャストを同時に全ての前記クライアント側デバイスで表示するステップを含む、請求項１に記載の方法。
【請求項３】
前記メディアブロードキャストがシミュレーションされるとリアルタイムで前記メディアブロードキャストを前記クライアント側デバイスのそれぞれで表示するステップを含む、請求項１に記載の方法。
【請求項４】
前記クライアント側デバイスのユーザーに関連付けられた個人情報によって前記レイヤの少なくとも１つがそれぞれのクライアント側デバイスに個人化される、請求項１に記載の方法。
【請求項５】
前記クライアント側デバイスで前記レイヤとインタラクトするユーザーからの入力を受信すると、前記レイヤの少なくとも１つが前記コンテンツオブジェクトの少なくとも１つでインスタンス作成されたコンテンツを更新してインタラクティブである、請求項１に記載の方法。
【請求項６】
インタラクティブなコンテンツ更新がソースサーバーからリモートに更新される、請求項５に記載の方法。
【請求項７】
インタラクティブ更新のための前記コンテンツがレイヤコンテンツオブジェクトと共に送信され、インタラクティブレイヤをローカルに更新するために前記クライアント側デバイスで保存される、請求項５に記載の方法。
【請求項８】
前記クライアント側デバイスのそれぞれで組み立てられた前記メディアブロードキャストが前記シミュレーションされたメディアブロードキャストと同一のコンテンツオブジェクトを含むが、複数の前記クライアント側デバイスのそれぞれで異なってインスタンス作成される、請求項１に記載の方法。
【請求項９】
前記メディアブロードキャストが複数の異なるサーバーからのメディアコンテンツにリンクを提供するステージング環境インターフェースでシミュレーションされる、請求項１に記載の方法。
【請求項１０】
前記メディアブロードキャストは集中型サーバーでシミュレーションされる、請求項１に記載の方法。
【請求項１１】
前記メディアブロードキャストはクライアント側でシミュレーションされる、請求項１に記載の方法。
【請求項１２】
複数のクライアント側デバイスにブロードキャストするためのシステムであって、
メディアブロードキャストのオフエアを準備するために、ブロードキャスト画面を真似るステージング領域においてメディアブロードキャストをシミュレーションするための管理者デバイスからの入力を受信するためのサーバーを含み、前記ブロードキャストは複数のメディアレイヤを含み、前記シミュレーションされたメディアブロードキャストにおいて各レイヤはコンテンツオブジェクトおよび配置によって定義され、前記入力の受信は、前記サーバーが前記シミュレーションで異なるライブストリームおよび前記レイヤの前記配置を定義する設計パラメーターで前記クライアント側デバイスに複数の前記レイヤのそれぞれの前記コンテンツオブジェクトを送信することをトリガし、前記メディアが、前記シミュレーションされたメディアブロードキャストのものに実質的に一致するコンテンツオブジェクトおよび設計を有するクライアント側デバイスのそれぞれでブロードキャストをオンエアするように、クライアント側デバイスのそれぞれが、前記コンテンツオブジェクトおよび設計パラメーターによってメディアブロードキャストの前記レイヤを組み立てるように適合されているシステム。
【手続補正２】
【補正対象書類名】図面
【補正対象項目名】図４
【補正方法】変更
【補正の内容】
【図４】
2015504643.tif 000001
【手続補正３】
【補正対象書類名】図面
【補正対象項目名】図５
【補正方法】変更
【補正の内容】
【図５】
2015504643.tif 000002
【手続補正書】
【提出日】平成28年1月8日(2016.1.8)
【手続補正１】
【補正対象書類名】特許請求の範囲
【補正対象項目名】全文
【補正方法】変更
【補正の内容】
【特許請求の範囲】
【請求項１】
組成物であって、
アルファ−１アンチトリプシン（ＡＡＴ）又はその断片若しくはペプチド切断分子をコードする核酸、及び
Ｆｃ断片をコードし、前記Ｆｃ断片のヒンジ領域を切断又は除去するために更に操作されている核酸
を含む構築体と、
薬学的に許容される担体と
を含む組成物。
【請求項２】
ＡＡＴをコードする核酸が、天然ＡＡＴ（配列番号１）をコードする核酸を含む、請求項１に記載の組成物。
【請求項３】
前記断片が、配列番号１の最後の８０個のアミノ酸、又はその１０個以上連続するアミノ酸からなるカルボキシ末端断片を含む、請求項１に記載の組成物。
【請求項４】
前記断片が、配列番号１の最後の３６個のアミノ酸（配列番号３４）からなるカルボキシ末端断片を含む、請求項１に記載の組成物。
【請求項５】
前記Ｆｃ断片が、ＩｇＧ１、ＩｇＧ２、ＩｇＧ３、又はＩｇＧ４に由来するＦｃ断片を含む、請求項１に記載の組成物。
【請求項６】
前記Ｆｃ断片をコードする核酸が、配列番号４９、配列番号５６、配列番号５７、又は配列番号５８のアミノ酸配列をコードする、請求項１に記載の組成物。
【請求項７】
ＡＡＴをコードする核酸が、反応中心ループ（ＲＣＬ）に突然変異を有する突然変異ＡＡＴをコードする核酸を含む、請求項１に記載の組成物。
【請求項８】
融合タンパク質であって、前記タンパク質のアミノ末端から始まり、（ｉ）アルファ−１アンチトリプシン又はそのカルボキシ末端断片、（ｉｉ）ペプチドリンカー、及び（ｉｉｉ）欠失又は切断されたヒンジ領域を有するＦｃ免疫断片に存在する連続したアミノ酸に対応する連続したアミノ酸を含み、（ｉ）の連続したアミノ酸が、精製時に（ｉｉｉ）と結合したままである融合タンパク質。
【請求項９】
前記Ｆｃ免疫断片が、ＩｇＧ１断片、ＩｇＧ２断片、ＩｇＧ３断片、又はＩｇＧ４断片を含む、請求項８に記載の融合タンパク質。
【請求項１０】
請求項８に記載の融合タンパク質及び薬学的に許容される担体を含む医薬組成物。
【請求項１１】
アルファ−１アンチトリプシン（ＡＡＴ）又はその断片若しくはペプチド切断分子をコードする核酸と、Ｆｃ断片をコードし、前記Ｆｃ断片のヒンジ領域を切断又は除去するために更に操作されている核酸とを含む融合分子を含む核酸構築体を含むベクター。
【請求項１２】
請求項１１に記載のベクターを含む形質転換細胞。
【請求項１３】
請求項８又は９に記載の融合タンパク質を含む、発現された封入体の単離調製物。
【請求項１４】
ＡＡＴ療法を必要とする対象体を治療するための請求項１０に記載の医薬組成物であって、前記ＡＡＴ療法は、前記対象体に治療上有効量の請求項１０に記載の医薬組成物を、次のいずれかの量：（ｉ）抗炎症反応を開始させるのに有効な量であって、前記医薬組成物を前記対象体に投与することが、前記対象体の前記炎症反応を低減させる、量、（ｉｉ）免疫調節応答を達成するのに有効な量、（ｉｉｉ）糖尿病を治療するのに有効な量であって、前記医薬組成物を前記対象体に投与することが、前記対象体の糖尿病を治療する、量、（ｉｖ）対象体の虚血性再灌流傷害を治療するのに有効な量、（ｖ）対象体の移植拒絶反応を抑制又は治療するのに有効な量、（ｖｉ）対象体の感染症を治療するのに有効な量、（ｖｉｉ）対象体のＡＡＴ欠乏を低減させるのに有効な量、（ｖｉｉｉ）対象体の痛風を調節するのに有効な量、（ｉｘ）対象体の心臓疾患を調節するのに有効な量、又は（ｘ）移植片対宿主疾患を治療又は予防するのに有効な量で投与することを含む、医薬組成物。
【請求項１５】
対象体に移植するための臓器、組織、又は細胞を保存するための方法であって、前記臓器、組織、又は細胞を、移植又は保管のために前記臓器、組織、又は細胞を保存するのに有効な量の請求項１０に記載の医薬組成物と接触させることを含む方法。
【請求項１６】
アルファ−１アンチトリプシン（ＡＡＴ）をコードする核酸、及び
Ｆｃのヒンジ領域を持たないＦｃ断片のアミノ酸配列をコードする核酸
を含む構築体。
【請求項１７】
請求項１６に記載の構築体によりコードされるアミノ酸配列、及びその薬学的に許容される塩、及びその薬学的に許容される担体を含む医薬組成物。
【手続補正書】
【提出日】平成28年1月7日(2016.1.7)
【手続補正１】
【補正対象書類名】特許請求の範囲
【補正対象項目名】全文
【補正方法】変更
【補正の内容】
【特許請求の範囲】
【請求項１】
単離ヒトNkx2.1陽性Sox2陽性近位気道複能性前駆細胞。
【請求項２】
Tuj1陰性およびPax8陰性である、請求項1に記載の単離細胞。
【請求項３】
増殖性であり、且つ選択された分化条件下で、気道基底幹細胞、繊毛細胞、クララ細胞、神経内分泌細胞、または扁平上皮細胞へと分化することができる、請求項1に記載の単離細胞。
【請求項４】
単離ヒトNkx2.1陽性Sox9陽性遠位複能性肺前駆細胞。
【請求項５】
FoxP2陽性および／またはID2陽性である、請求項4に記載の単離細胞。
【請求項６】
増殖性であり、且つ選択された分化条件に置かれると任意の上皮肺細胞へと分化することができる、請求項4に記載の単離細胞。
【請求項７】
選択された分化条件下で、気道基底幹細胞、繊毛細胞、クララ細胞、ムチン分泌杯細胞、I型肺胞細胞、II型肺胞細胞、扁平上皮細胞、気管支肺胞幹細胞、気管支肺胞管接合部幹細胞、遊走性CK14+細胞、または神経内分泌細胞へと分化することができる、請求項6に記載の単離細胞。
【請求項８】
単離ヒトNkx2.1陽性p63陽性複能性気道基底幹細胞。
【請求項９】
増殖性であり、且つ選択された分化条件に置かれると、繊毛細胞、クララ細胞、ムチン分泌杯細胞、または基底細胞へと分化することができる、請求項8に記載の単離細胞。
【請求項１０】
複能性気道基底幹細胞が、クララ細胞マーカー、繊毛細胞マーカー、神経内分泌細胞マーカー、または扁平細胞マーカーを発現しない、請求項8に記載の単離細胞。
【請求項１１】
請求項1、4、または8に記載の単離細胞と植え込み可能な足場とを含む、組成物。
【請求項１２】
疾患特異的細胞である、請求項1、4、または8に記載の単離細胞。
【請求項１３】
呼吸器疾患または呼吸器障害を処置するための対象に植え込むための組成物であって、細胞が対象に対して自家性である、請求項11に記載の組成物。
【請求項１４】
足場が、天然繊維、合成繊維、脱細胞肺組織、またはその組み合わせを含む生分解性の足場である、請求項11に記載の組成物。
【請求項１５】
天然繊維が、コラーゲン、フィブリン、シルク、トロンビン、キトサン、キチン、アルギン酸、ヒアルロン酸、およびゼラチンからなる群より選択される、請求項14に記載の組成物。
【請求項１６】
合成繊維が、生分解性の脂肪族ポリエステルである、請求項14に記載の組成物。
【請求項１７】
生分解性の脂肪族ポリエステルが、ポリ乳酸（PLA）、ポリグリコール酸（PGA）、ポリ(D,L-ラクチド-コ-グリコリド)（PLGA）、ポリ(カプロラクトン)、ジオール／二酸型脂肪族ポリエステル、ポリエステル-アミド／ポリエステル-ウレタン、ポリ(バレロラクトン)、ポリ(ヒドロキシル酪酸)、ポリブチレンテレフタレート（PBT）、ポリヒドロキシヘキサン酸（PHH）、ポリブチレンコハク酸（PBS）、およびポリ(ヒドロキシル吉草酸)からなる群より選択される、請求項16に記載の組成物。
【請求項１８】
ヒト前腸内胚葉細胞に、FGF2、WNT、およびBMP4を、各々がヒト前腸内胚葉細胞をNkx2.1陽性Tuj1陰性Pax8陰性肺前駆細胞へと分化させるために十分な期間および濃度で接触させる段階を含む、Nkx2.1陽性、Tuj1陰性、およびPax8陰性であるヒト肺前駆細胞またはヒト肺前駆細胞集団を作製する方法。
【請求項１９】
Nkx2.1陽性Tuj1陰性Pax8陰性肺前駆細胞に、BMP7、FGF7、WNTアンタゴニスト、およびMAPKK/ERKアンタゴニストを、各々がNkx2.1陽性Tuj1陰性Pax8陰性肺前駆細胞をNkx2.1陽性Sox2陽性近位気道複能性前駆細胞へと分化させるために十分な期間および濃度で接触させる段階をさらに含む、請求項18に記載の方法。
【請求項２０】
前腸内胚葉細胞の培養が、胚幹（ES）細胞または人工多能性幹細胞（iPSC）から誘導される、請求項18に記載の方法。
【請求項２１】
請求項11に記載の組成物を含む、肺の疾患、障害、または損傷を処置するための薬学的組成物。
【請求項２２】
請求項1、4、または8に記載の細胞、薬学的に許容される担体、および肺疾患または肺障害を処置するための説明書を含む、肺疾患または肺障害を処置するためのキット。
【請求項２３】
足場をさらに含む、請求項22に記載のキット。
【請求項２４】
ヒト前腸内胚葉細胞に、Wntアゴニスト、PIK3キナーゼ阻害剤、BMPアンタゴニスト、ならびにGF-109203X、Ro31-8220、Pp242、PIK-75、ZSTK474、PMA、カルベジロール、コルチコステロン、トリクラベンダゾール、リン酸ベンプロペリン、フェノチアジン、およびメトトレキサートからなる群より選択される薬物を、各々がヒト前腸内胚葉細胞をNkx2.1陽性Tuj1陰性Pax8陰性肺前駆細胞へと分化させるために十分な期間および濃度で接触させる段階を含む、Nkx2.1陽性、Tuj1陰性、およびPax8陰性であるヒト肺前駆細胞またはヒト肺前駆細胞集団を作製する方法。
【手続補正書】
【提出日】平成27年12月14日(2015.12.14)
【手続補正１】
【補正対象書類名】特許請求の範囲
【補正対象項目名】全文
【補正方法】変更
【補正の内容】
【特許請求の範囲】
【請求項１】
細長いエアロゾル発生装置（１００、１０００）であって、該装置の少なくとも一部が、少なくとも５つの辺を有する形状により定められる外側横断面を有し、該外側横断面は、１０ｍｍ〜２０ｍｍの直径を有する外接円を定める形状であり、該形状は、曲線により接合された少なくとも５つの角部を有する、細長いエアロゾル発生装置（１００、１０００）と、
前記エアロゾル発生装置の多角形横断面に対応する多角形横断面を有して前記細長いエアロゾル発生装置を受け入れるように適合されたキャビティ（６０２）を含む充電装置（６００）と、を備え、
前記キャビティは、前記エアロゾル発生装置の少なくとも１つの対応する突出部を受け入れるための少なくとも１つの切り欠き部を含み、前記少なくとも１つの突出部は、前記エアロゾル発生装置を作動させるように適合されたボタンである、
ことを特徴とするエアロゾル発生システム。
【請求項２】
前記細長いエアロゾル発生装置は、実質的に円筒状である、
ことを特徴とするエアロゾル発生システム。
【請求項３】
前記細長いエアロゾル発生装置は、長さが６０ｍｍ〜１５０ｍｍであり、前記外側横断面の形状は、各々の長さが２ｍｍよりも長い７個〜１２個の辺を有する、
ことを特徴とする請求項１又は２に記載のエアロゾル発生システム。
【請求項４】
前記細長いエアロゾル発生装置の前記外側横断面の形状は多角形である、
ことを特徴とする請求項１から３のいずれかに記載のエアロゾル発生システム。
【請求項５】
横向きに延びる突出部（１０６、１０１２、１０２２）を含む、
ことを特徴とする請求項１から４のいずれかに記載のエアロゾル発生システム。
【請求項６】
前記細長いエアロゾル発生装置の少なくとも一方の端部はテーパ状になっている、
ことを特徴とする請求項１から５のいずれかに記載のエアロゾル発生システム。
【請求項７】
前記細長いエアロゾル発生装置の外形は、６０ｍｍ〜１５０ｍｍの長さ及び０．２ｍｍ〜１ｍｍの厚みを有する細長いシェルを含むハウジングによって定められる、
ことを特徴とする請求項１から６のいずれかに記載のエアロゾル発生システム。
【請求項８】
前記ハウジングは、互いに分離可能な第１及び第２の細長い部分を含む、
ことを特徴とする請求項７に記載のエアロゾル発生システム。
【請求項９】
前記ハウジングは、０．５ｍｍ〜１ｍｍの壁厚を有するポリマーで形成される、
ことを特徴とする請求項７又は８に記載のエアロゾル発生システム。
【請求項１０】
前記ハウジングは、少なくとも一部が非円形である内側断面を有する、
ことを特徴とする請求項７、８又は９に記載のエアロゾル発生システム。
【請求項１１】
前記細長いエアロゾル発生装置は、
エアロゾル発生基材を受け入れるように適合された基材受け入れキャビティ（３０２）と、
前記エアロゾル発生基材を加熱してエアロゾルを発生させるように適合された加熱素子（４０６）と、
前記加熱素子に電力を供給するように適合された電源と、
を備えることを特徴とする請求項１から１０のいずれかに記載のエアロゾル発生システム。
【手続補正書】
【提出日】平成27年12月14日(2015.12.14)
【手続補正１】
【補正対象書類名】特許請求の範囲
【補正対象項目名】全文
【補正方法】変更
【補正の内容】
【特許請求の範囲】
【請求項１】
一次装置及び二次装置を備える電気システムであって、
前記一次装置は、
電力源と、
前記二次装置を受け入れるように構成されたキャビティと、
前記二次装置が前記キャビティ内にある場合に前記二次装置の対応する接点に接触するように構成され、前記電力源に電気的に接続された、前記キャビティ内の少なくとも１つの電気接点と、
前記一次装置と前記二次装置との間でデータを転送するように構成された少なくとも１つのデータ接点と、
前記二次装置を前記少なくとも１つの電気接点及び前記少なくとも１つのデータ接点と接触した状態に維持する第１の位置と、前記二次装置が前記少なくとも１つの電気接点及び前記少なくとも１つのデータ接点に接触した状態から脱して自由に移動できる第２の位置との間を移動でき、前記第１の位置において、前記二次装置を前記少なくとも１つの電気接点及び前記少なくとも１つのデータ接点に接触するように付勢する蓋と、
を備え、
前記二次装置は、前記一次装置の前記キャビティに対してキー嵌合されることを特徴とする電気システム。
【請求項２】
前記キー嵌合は、不規則な横断面形状を有するキャビティで構成され、前記二次装置は、対応する不規則な横断面形状を有する、請求項１に記載の電気システム。
【請求項３】
前記キャビティの前記不規則な横断面形状は、スロットを有する前記二次装置の前記不規則な横断面形状にキー嵌合する突出部を備える、請求項２に記載の電気システム。
【請求項４】
前記キャビティの前記不規則な横断面形状は、突出部を有する前記二次装置の前記不規則な横断面形状にキー嵌合するスロットを備える、請求項２に記載の電気システム。
【請求項５】
前記二次装置は、前記少なくとも１つの電気接点及び前記少なくとも１つのデータ接点に前記二次装置を結合するための結合部分を備え、前記結合部分は、段付き又はテーパー付きである、請求項１から４のいずれかに記載の電気システム。
【請求項６】
前記テーパー付き又は段付き部分は、前記二次装置の長さの５％から２０％の間で広がる、請求項５に記載の電気システム。
【請求項７】
前記結合部分は、例えば多角形である、非円形の横断面を有する、請求項５又は６に記載の電気システム。
【請求項８】
前記一次装置は、前記蓋が第１の位置に無い場合に、前記少なくとも１つの電気接点からの前記二次装置への電力供給を阻止するように構成されている、請求項１から７のいずれかに記載の電気システム。
【請求項９】
前記少なくとも１つの電気接点及び前記少なくとも１つのデータ接点のうちに少なくとも１つは、前記二次装置が前記キャビティ内に配置された場合に、前記二次装置を前記蓋に向かって付勢するように構成された弾性要素を備える、請求項１から８のいずれかに記載の電気システム。
【請求項１０】
前記蓋は、少なくとも１つの開口を備え、前記二次装置が前記キャビティ内に存在して前記蓋が前記第１の位置にある場合に、前記キャビティからの物質の放出が可能になっている、請求項１から９のいずれかに記載の電気システム。
【請求項１１】
前記一次装置の前記電力源は充電式バッテリを含む、請求項１から１０のいずれかに記載の電気システム。
【請求項１２】
前記二次装置は、加熱要素及び充電式電源を備える電気加熱式エアロゾル発生装置である、請求項１から１１のいずれかに記載の電気システム。
【請求項１３】
前記一次装置は、前記二次装置が前記少なくとも１つの電気接点と接触した状態にある場合に、前記二次装置の前記充電式バッテリを再充電するのに適したやり方で前記二次装置に電力を供給するように構成されている、請求項１２に記載の電気システム。
【手続補正書】
【提出日】平成27年12月7日(2015.12.7)
【手続補正１】
【補正対象書類名】特許請求の範囲
【補正対象項目名】全文
【補正方法】変更
【補正の内容】
【特許請求の範囲】
【請求項１】
溶媒及び原料から飲料を調製するための方法であって、
前記溶媒の温度を第１の所与の温度に設定する、第１の設定ステップと、
第１の所与の期間の間、前記第１の所与の温度において、前記溶媒中に前記原料を煎出する、第１の煎出ステップと、
前記第１の煎出ステップにより得られた前記溶媒の温度を第２の所与の温度に設定する、第２の設定ステップと、
第２の所与の期間の間、前記第２の所与の温度において、前記第１の煎出ステップにより得られた前記溶媒中に前記原料を煎出する、第２の煎出ステップと、
を有する方法。
【請求項２】
前記第１の所与の温度は、前記第２の所与の温度よりも低い、請求項１に記載の方法。
【請求項３】
前記第１の所与の温度は、前記第２の所与の温度よりも高い、請求項１に記載の方法。
【請求項４】
前記第２の設定ステップは、前記第１の所与の温度から前記第２の所与の温度まで前記溶媒を冷却するステップを有する、請求項３に記載の方法。
【請求項５】
前記第１の煎出ステップは、第１の所与の流量で前記溶媒を前記原料へと拡散させるステップを有し、
前記第２の煎出ステップは、第２の所与の流量で前記溶媒を前記原料へと拡散させるステップを有する、
請求項１に記載の方法。
【請求項６】
前記第１の煎出ステップの間、第１の所与の圧力レベルに圧力を設定する、第１の圧力設定ステップと、
前記第２の煎出ステップの間、第２の所与の圧力レベルに圧力を設定する、第２の圧力設定ステップと、
を更に有する、請求項１に記載の方法。
【請求項７】
前記第２の煎出ステップの前に、前記溶媒の化学的特性を変化させるステップを更に有する、請求項１に記載の方法。
【請求項８】
前記化学的特性はｐＨである、請求項７に記載の方法。
【請求項９】
前記化学的特性は硬度である、請求項７に記載の方法。
【請求項１０】
溶媒及び原料から飲料を調製するための装置であって、
前記溶媒を収容するための容器と、
前記原料を収容するための浸出器と、
前記容器から前記浸出器へと前記溶媒を輸送するための第１のシステムと、
第１の期間の間、前記浸出器に輸送された前記溶媒の温度を第１の所与の温度に設定し、第２の期間の間、前記第１の所与の温度で前記原料を前記溶媒で浸出することにより得られた前記溶媒の温度を第２の所与の温度に設定するための第２のシステムと、
を有する装置。
【請求項１１】
前記煎出器は前記容器のなかに配置され、
前記第１のシステムは、前記容器の内部と前記浸出器の内部とを連結する連通路を有する、請求項１０に記載の装置。
【請求項１２】
前記煎出器は前記容器の外部に配置され、
前記第１のシステムは、前記容器から前記浸出器へと前記溶媒を輸送するポンピング機構を有し、
前記装置は更に、前記浸出器から前記容器へと前記溶媒を輸送するための戻り路を有する、
請求項１０に記載の装置。
【請求項１３】
前記ポンピング機構は、前記第１の期間の間、第１の所与の流量で前記溶媒を輸送するように構成され、前記第２の期間の間、第２の所与の流量で前記溶媒を輸送するように構成された、請求項１２に記載の装置。
【請求項１４】
前記浸出器を囲む室と、前記室内の圧力を、前記第１の期間の間は第１の所与の圧力レベルに設定し、前記第２の期間の間は第２の所与の圧力レベルに設定するための第３のシステムと、を更に有する、請求項１０に記載の装置。
【請求項１５】
イオン交換樹脂材料を更に有し、前記溶媒は、前記溶媒の化学的特性を変化させるため前記イオン交換樹脂材料を通ることを意図された、請求項１０に記載の装置。
【手続補正書】
【提出日】平成27年11月20日(2015.11.20)
【手続補正１】
【補正対象書類名】明細書
【補正対象項目名】００６０
【補正方法】変更
【補正の内容】
【００６０】
図６Ｃの先端が広がっておりかつ平らなリフトピン６１０Ｂは、平らな先端の直径よりも小さい軸径を有する。例えば、軸径は、０．０６０インチ（１．５ｍｍ）であってよく、平らな先端は、０．０７２インチ（１．７ｍｍ）の直径を有することができる。リフトピン穴６１２Ａは、０．０８２インチ（１．９ｍｍ）の直径を有する。したがって、先端が広がっておりかつ平らなリフトピン６１０Ｂの各側面と、対応するリフトピン穴６１２Ａの側面との間の隙間は、約０．００５インチ（０．１２ｍｍ）である。
【手続補正２】
【補正対象書類名】明細書
【補正対象項目名】００７２
【補正方法】変更
【補正の内容】
【００７２】
入出力インターフェース９２０は、コンピュータ９００によって使用される入力機器、出力機器、および記憶装置にアクセスするために使用される。説明されている実施形態では、これらの機器および装置は、ディスプレイ画面９１８、フロッピィディスク媒体／光媒体／フラッシュ媒体／取り外し可能媒体のドライブ９３４、およびネットワークインターフェース９３０を含む。
【手続補正３】
【補正対象書類名】明細書
【補正対象項目名】００８４
【補正方法】変更
【補正の内容】
【００８４】
以上の発明は、理解を明瞭にする目的で幾らか詳細に説明されてきたが、添付の特許請求の範囲内で特定の変更および修正が可能であることが明らかである。したがって、これらの実施形態は、例示的で尚且つ非限定的であると見なされ、本発明は、本明細書で与えられた詳細に限定されることはなく、添付の特許請求の範囲およびそれらの均等物の範囲内で変更されてよい。
本発明は、たとえば、以下のような態様で実現することもできる。
適用例１：
プラズマチャンバにおいてアークＲＦ信号を分離させるためのシステムであって、
プラズマチャンバであって、
トップ電極と、
半導体ウエハを支えるための静電チャックと、
前記静電チャックの表面内の複数のクランプ電極の少なくとも１つと前記静電チャックのベース板との間に結合されたコンデンサであって、約１９ナノファラッドを上回る静電容量を有し、前記静電チャックの内部空間内に配される、コンデンサと、
を含むプラズマチャンバを備えるシステム。
適用例２：
適用例１のシステムであって、更に、
前記静電チャックの前記表面内の対応する複数のリフトピン穴内に支えられた複数のリフトピンを備えるシステム。
適用例３：
適用例２のシステムであって、
前記複数のリフトピンの各ピンは、前記静電チャックの前記表面内の複数のリフトピン穴のうちの対応する１つのピン内の対応する側面との間に、約０．０１１インチ（０．２５ｍｍ）未満の隙間を有する、システム。
適用例４：
適用例２のシステムであって、
前記複数のリフトピンの各ピンは、前記静電チャックの前記表面内の複数のリフトピン穴のうちの対応する１つのピン内の対応する側面との間に、約０．００５インチ（０．１２ｍｍ）未満の隙間を有する、システム。
適用例５：
適用例２のシステムであって、
前記複数のリフトピンのうちの少なくとも１つのピンは、先端が丸いリフトピンである、システム。
適用例６：
適用例２のシステムであって、
前記複数のリフトピンのうちの少なくとも１つのピンは、先端が平らなリフトピンである、システム。
適用例７：
適用例２のシステムであって、
前記複数のリフトピンのうちの少なくとも１つのピンは、先端が広がっておりかつ平らなリフトピンである、システム。
適用例８：
適用例１のシステムであって、
コンデンサは、約１９ナノファラッドから約４３ナノファラッドまでの間の静電容量を有する、システム。
適用例９：
プラズマチャンバにおいてアークＲＦ信号を分離する方法であって、
プラズマチャンバにおいてトップ電極と静電チャックの上面との間の領域内にプラズマを発生させることであって、前記トップ電極および前記静電チャックの一方または両方に１つ以上のＲＦ信号を印加することを含み、前記静電チャックの前記上面で半導体ウエハが支えられる、ことと、
前記１つ以上のＲＦ信号の一部を、前記静電チャックの前記上面内の複数のクランプ電極と前記静電チャックのベース板との間に結合されたコンデンサを通じて、結合することであって、前記コンデンサは、少なくとも１９ナノファラッドの静電容量を有し、前記コンデンサは、前記静電チャックの内部空間内に配される、ことと、
を備える方法。
適用例１０：
適用例９の方法であって、
前記コンデンサは、約１９ナノファラッドから約４３ナノファラッドまでの間の静電容量を有する、方法。
適用例１１：
適用例９の方法であって、更に、
前記静電チャックの前記表面内の対応する複数のリフトピン穴内に支えられた複数のリフトピン備える方法。
適用例１２：
適用例１１の方法であって、
前記複数のリフトピンの各ピンは、前記静電チャックの前記表面内の複数のリフトピン穴のうちの対応する１つのピン内の対応する側面との間に、約０．０１１インチ（０．２５ｍｍ）未満の隙間を有する、方法。
適用例１３：
適用例１１の方法であって、
前記複数のリフトピンの各ピンは、前記静電チャックの前記表面内の複数のリフトピン穴のうちの対応する１つのピン内の対応する側面との間に、約０．００５インチ（０．１２ｍｍ）未満の隙間を有する、方法。
適用例１４：
適用例１１の方法であって、
前記複数のリフトピンのうちの少なくとも１つのピンは、先端が丸いリフトピンである、方法。
適用例１５：
適用例１１の方法であって、
前記複数のリフトピンのうちの少なくとも１つのピンは、先端が平らなリフトピンである、方法。
適用例１６：
適用例１１の方法であって、
前記複数のリフトピンのうちの少なくとも１つのピンは、先端が広がっておりかつ平らなリフトピンである、方法。
適用例１７：
プラズマチャンバにおいてアークＲＦ信号を分離させるためのシステムであって、
プラズマチャンバであって、
トップ電極と、
半導体ウエハを支えるための静電チャックと、
前記静電チャックの表面内の複数のクランプ電極の少なくとも１つと前記静電チャックのベース板との間に結合されたコンデンサであって、約１９ナノファラッドから約４３ナノファラッドまでの間の静電容量を有し、前記静電チャックの内部空間内に配される、コンデンサと、
前記静電チャックの前記表面内の対応する複数のリフトピン穴内に支えられた複数のリフトピンと、
を含むプラズマチャンバを備えるシステム。
適用例１８：
適用例１７のシステムであって、
前記複数のリフトピンの各ピンは、前記静電チャックの前記表面内の複数のリフトピン穴のうちの対応する１つのピン内の対応する側面との間に、約０．００５インチ（０．１２ｍｍ）未満の隙間を有する、システム。
【手続補正書】
【提出日】平成27年12月10日(2015.12.10)
【手続補正１】
【補正対象書類名】特許請求の範囲
【補正対象項目名】全文
【補正方法】変更
【補正の内容】
【特許請求の範囲】
【請求項１】
口腔内に入れるために適合された無煙タバコ組成物であって、
（ａ）タバコ材料と、
（ｂ）前記口腔内で発泡を引き起こすことが可能な発泡性材料と、を含み、ガス化糖材料が口腔内で溶出する際に、閉じ込められたガス状成分の放出が起こるように、前記発泡性材料が、前記閉じ込められたガス状成分を含有する前記ガス化糖材料を含有し、
前記無煙タバコ組成物が、（ｉ）造粒タバコ組成物と粒子状形態の前記ガス化糖材料との混合物であり、前記造粒タバコ組成物が、凝集を促進するために粉末成分を結合剤溶液と混合することによって形成される混合物の形態であるか、又は（ｉｉ）水供給源を、タバコ材料及び糖アルコールを含む溶融組成物と混合することによってその場で形成された、前記ガス化糖材料を含む凝固結晶マトリックスの形態である、無煙タバコ組成物。
【請求項２】
前記ガス化糖材料が、エリスリトール、スレイトール、アラビトール、キシリトール、リボトール、マンニトール、ソルビトール、ダルシトール、イジトール、イソマルト、マルチトール、ラクチトール、ポリグリシトール、及びこれらの混合物からなる群から選択される糖アルコールを含む、請求項１に記載の無煙タバコ組成物。
【請求項３】
前記糖アルコールが、エリスリトール、イソマルト、及びこれらの混合物からなる群から選択される、請求項２に記載の無煙タバコ組成物。
【請求項４】
前記ガス化糖材料が、前記無煙タバコ組成物の総重量を基準として、２０乾燥重量％〜６０乾燥重量％の量で存在し、前記タバコ材料が、３乾燥重量％〜６０乾燥重量％の任意の量で存在する、請求項１に記載の無煙タバコ組成物。
【請求項５】
少なくとも３乾燥重量％の少なくとも１種の充填剤と、少なくとも２乾燥重量％の少なくとも１種の結合剤とを更に含み、前記充填剤が、微結晶セルロース、マンニトール、及びマルトデキストリンの少なくとも１つを含む、請求項４に記載の無煙タバコ組成物。
【請求項６】
前記タバコ材料が、前記無煙タバコ組成物の総重量を基準として、少なくとも５乾燥重量％の任意の量で存在し、前記発泡性材料が、少なくとも５０重量％で存在する糖アルコールを含む、請求項１に記載の無煙タバコ組成物。
【請求項７】
少なくとも５乾燥重量％の糖アルコールシロップを更に含む、請求項６に記載の無煙タバコ組成物。
【請求項８】
前記糖アルコールシロップが、マルチトールシロップである、請求項７に記載の無煙タバコ製品。
【請求項９】
少なくとも５乾燥重量％の脂質を更に含む、請求項６に記載の無煙タバコ組成物。
【請求項１０】
少なくとも１乾燥重量％の少なくとも１種の酸と、少なくとも１乾燥重量％の少なくとも１種の塩基とを更に含む、請求項１に記載の無煙タバコ組成物。
【請求項１１】
前記組成物が、少なくとも１種の三プロトン酸と、炭酸塩材料、重炭酸塩材料、及びこれらの混合物から選択される少なくとも１種の塩基とを含む、請求項１０に記載の無煙タバコ組成物。
【請求項１２】
前記無煙タバコ組成物が、（ｉ）前記タバコ材料を含む造粒タバコ組成物と、粒子状形態の前記ガス化糖材料との混合物を含み、前記無煙タバコ組成物が、所定の形状に圧縮若しくは押出成形されるか、又は粒子状の形態でパウチ内に入れられる、請求項１に記載の無煙タバコ組成物。
【請求項１３】
前記無煙タバコ組成物が、（ｉ）前記タバコ材料を含む造粒タバコ組成物と、粒子状形態の前記ガス化糖材料との混合物を含み、前記造粒タバコ組成物が、前記タバコ材料及び１つ以上の結合剤、充填剤、甘味料、塩、風味料、着色料、圧縮助剤、又はその他の添加物成分を含むタバコ含有粒状化混合物を結合剤溶液と混合することによって形成される、請求項１に記載の無煙タバコ組成物。
【請求項１４】
前記タバコ含有粒状化混合物が、タバコ材料、少なくとも１種の充填剤、少なくとも１種の糖アルコール、及び少なくとも１種の結合剤を含む、請求項１３に記載の無煙タバコ組成物。
【請求項１５】
前記無煙タバコ組成物が、（ｉ）前記タバコ材料を含む造粒タバコ組成物と、粒子状形態の前記ガス化糖材料との混合物を含み、前記粉末成分が、主として非タバコ充填材材料及びタバコ抽出物を含む結合剤溶液を含む、請求項１に記載の無煙タバコ組成物。
【請求項１６】
前記組成物が、圧縮形態又は押出成形形態である、請求項１〜１５のいずれか一項に記載の無煙タバコ組成物。
【請求項１７】
外側コーティングを更に含む、請求項１〜１５のいずれか一項に記載の無煙タバコ組成物。
【請求項１８】
前記タバコ材料が、粒子状タバコ材料、水性タバコ抽出物、又はこれらの組み合わせである、請求項１〜１５のいずれか一項に記載の無煙タバコ組成物。
【請求項１９】
前記タバコ材料が、凍結乾燥形態又はスプレー乾燥形態の水性タバコ抽出物である、請求項１〜１５のいずれか一項に記載の無煙タバコ組成物。
【請求項２０】
口腔内に入れるために適合された無煙タバコ組成物を調製するための方法であって、
（ｉ）タバコ材料を、前記口腔内で発泡を引き起こすことが可能な発泡性材料と混合する工程であり、糖材料が口腔内で溶出する際に、閉じ込められたガス状成分の放出が起こるように、前記発泡性材料が、前記閉じ込められたガス状成分を含有する前記糖材料を含有し、前記混合工程が（ａ）タバコ材料を含む造粒組成物を、粒状形態のガス化糖材料と混合する工程、又は（ｂ）水供給源をタバコ材料及び糖アルコールを含む溶融組成物と混合することによって、ガス化糖材料をその場で形成する工程を含む、混合工程と、
（ｉｉ）工程（ｉ）で形成された前記混合物を、無煙タバコ製品に組み込む工程と、を含む方法。
【請求項２１】
前記混合工程が、工程（ａ）を含み、前記造粒組成物が、タバコ材料、少なくとも１種の充填剤、少なくとも１種の糖アルコール、及び少なくとも１種の結合剤を含む、請求項２０に記載の方法。
【請求項２２】
前記造粒組成物が、少なくとも１種の三プロトン酸と、炭酸塩材料、重炭酸塩材料、及びこれらの混合物から選択される少なくとも１種の塩基とを含む、請求項２１に記載の方法。
【請求項２３】
前記混合工程が工程（ｂ）を含み、前記溶融組成物が、糖アルコールシロップ、湿潤剤、及び脂質の１つ以上を更に含む、請求項２０に記載の方法。
【請求項２４】
前記混合工程が工程（ｂ）を含み、前記水供給源が、０〜２５℃の温度である、請求項２０に記載の方法。
【請求項２５】
前記混合工程が工程（ｂ）を含み、前記溶融組成物が酸を含み、前記水供給源が塩基を含む、請求項２０に記載の方法。
【請求項２６】
前記タバコ材料が、粒子状タバコ材料又は水性タバコ抽出物である、請求項２０に記載の方法。
【請求項２７】
前記無煙タバコ組成物が、所定の形状に圧縮又は押出成形される、請求項２０に記載の方法。
【請求項２８】
前記混合物が粒子状形態であり、前記方法が、前記混合物をパウチに充填する工程を更に含む、請求項２０に記載の方法。
【手続補正書】
【提出日】平成27年11月17日(2015.11.17)
【手続補正１】
【補正対象書類名】特許請求の範囲
【補正対象項目名】全文
【補正方法】変更
【補正の内容】
【特許請求の範囲】
【請求項１】
第１の光学スタックと、前記第１の光学スタック上に配設された第２の光学スタックと、を備えた光学スタックであって、
前記第１の光学スタックが、
少なくとも１．３の平均有効透過率を有しかつ第１の方向に沿って延在する複数の線状構造体を備える構造化された第１の主面を備える光方向管理フィルムを備え、
前記第２の光学スタックが、
液晶パネルと、
前記液晶パネル上に配設された反射型偏光子であって、前記反射型偏光子が第１の偏光状態を有する光を実質的に反射しかつ前記第１の偏光状態に対して垂直である第２の偏光状態を有する光を実質的に透過する、反射型偏光子と、
前記反射型偏光子上に配設されかつ前記第１の方向に沿って余り拡散性でなくかつ前記第１の方向に直交する第２の方向に沿ってより拡散性である非対称光ディフューザーと、を備え、
前記第２の光学スタック内の２つの隣接した主面のそれぞれの相当な部分が互いに物理的に接触していて、前記光学スタックの平均有効透過率が、前記視角が約３５度から約５５度まで増大するにつれて視角の関数として単調非増加を示す、光学スタック。
【手続補正書】
【提出日】平成27年11月26日(2015.11.26)
【手続補正１】
【補正対象書類名】特許請求の範囲
【補正対象項目名】全文
【補正方法】変更
【補正の内容】
【特許請求の範囲】
【請求項１】
回折装置を観察又は認証する方法であって、
前記方法が、
可視単色光の第１波長に応答する第１回折レリーフ構造と、可視単色光の第２波長に応答する第２回折レリーフ構造と、可視単色光の第３波長に応答する第３回折レリーフ構造と、を含む回折装置を提供するステップと、
前記第１波長の可視単色光の第１ビームによって前記回折装置を照射して再構築プレーン内に第１色の第１部分画像を生成するステップと、
前記第２波長の可視単色光の第２ビームによって前記回折装置を照射して前記再構築プレーン内に第２色の第２部分画像を生成するステップと、
前記第３波長の可視単色光の第３ビームによって前記回折装置を照射して再構築プレーン内に第３色の第３部分画像を生成するステップと、
を含み、
前記第１、第２及び第３回折レリーフ構造は、それぞれが第１、第２及び第３グループのインターレースした画素をそれぞれ含む数値型の回折光学要素（ＤＯＥ）であり、これによって前記第１、第２及び第３の回折レリーフ構造が互いに少なくとも部分的にインターレースしており、
前記第１、第２、及び第３部分画像は、前記再構築プレーン内において少なくとも部分的にオーバーラップして多色画像を形成し、且つ、前記部分画像の前記第１、第２、及び第３色は、多色入力画像の３つの色に対応している、方法。
【請求項２】
前記照射ステップは、同時に、又は連続して、又は周期的に実行される請求項１に記載の方法。
【請求項３】
前記３つの色は、原色又は等和色であり、及び／又は前記完成した多色画像は、加法性色によって形成される請求項１ 又は請求項２のいずれか一項に記載の方法。
【請求項４】
前記色は、別個の投影空間内に投影されて諧調表現によって前記多色画像内に所定範囲の色を生成するように、投影される請求項１乃至３のいずれか一項に記載の方法。
【請求項５】
透明な基材を含む回折セキュリティ装置であって、
該装置が、
前記透明な基材内に又は上に設けられると共に可視光の第１波長に応答する第１回折レリーフ構造と、
少なくとも１つの前記透明な基材内に又は上において可視光の第２波長に応答する第２回折レリーフ構造と、
少なくとも前記透明な基材内に又は上において可視光の第３波長に応答する第３回折レリーフ構造と、
を含み、
照射下において、前記第１回折レリーフ構造は、再構築プレーン内に第１色の第１部分画像を生成し、第２回折レリーフ構造は、前記再構築プレーン内に第２色の第２部分画像を生成し、且つ、前記第３回折レリーフ構造は、前記再構築プレーン内に第３色の第３部分画像を生成し、且つ、前記第１、第２、及び第３回折レリーフ構造は、それぞれが第１、第２及び第３グループのインターレースした画素をそれぞれ含む数値型の回折光学要素（ＤＯＥ）であり、これによって前記第１、第２及び第３の回折レリーフ構造が互いに少なくとも部分的にインターレースしており、前記部分画像の前記第１、第２、及び第３色は、多色入力画像の３つの色に対応しており、
前記第１、第２、及び第３部分画像は、前記再構築プレーン内において少なくとも部分的にオーバーラップして多色画像を形成する、装置。
【請求項６】
前記第１、第２、及び第３回折レリーフ構造は、原色又は等和色の波長に応答する請求項５に記載の回折セキュリティ装置。
【請求項７】
前記第１、第２、及び第３レリーフ構造を変調して、好ましくは前記第１、第２、及び第３レリーフ構造の高さ又は深さを変調することによって、諧調有色入力画像の輝度レベルの変動に対応した強度の変動を前記再構築プレーン内に生成する請求項５又は請求項６に記載の回折セキュリティ装置。
【請求項８】
前記第１、第２、及び第３波長に応答する更なるレリーフ構造を含み、前記更なるレリーフ構造は、少なくとも１つの更なる再構築プレーン内に更なる部分画像を生成し、前記更なる部分画像は、少なくとも部分的にオーバーラップして前記少なくとも１つの更なる再構築プレーン内に更なる多色画像を生成する請求項５乃至請求項７のいずれか一項に記載の回折セキュリティ装置。
【請求項９】
それぞれのレリーフ構造は、複数の回折セグメントを含み、前記回折セグメントは、その他のレリーフ構造の回折セグメントとインターレースしている請求項５乃至請求項８のいずれか一項に記載の回折セキュリティ装置。
【請求項１０】
前記セキュリティ装置は、透過状態において観察されるように適合された透過型セキュリティ装置である請求項５乃至請求項９のいずれか一項に記載のセキュリティ装置。
【請求項１１】
金属又は高屈折率材料の反射性層を更に含む請求項５乃至請求項１０のいずれか一項に記載のセキュリティ装置。
【請求項１２】
回折装置を観察又は認証する装置であって、
該装置が、可視単色光の第１波長に応答する第１拡散レリーフ構造と、可視単色光の第２波長に応答する第２拡散レリーフ構造と、可視単色光の第３波長に応答する第３回折レリーフ構造と、を含み、
前記装置は、前記第１、第２、及び第３波長の可視単色光の３つの別個のビームを生成する照射手段を含み、
前記第１、第２、及び第３回折レリーフ構造は、それぞれが第１、第２及び第３グループのインターレースした画素をそれぞれ含む数値型の回折光学要素（ＤＯＥ）であり、これによって前記第１、第２及び第３の回折レリーフ構造が互いに少なくとも部分的にインターレースしており、
前記第１波長の可視単色光の前記第１ビームを前記回折装置上に導いて再構築プレーン内に第１色の第１部分画像を生成し、前記第２波長の可視単色光の前記第２ビームを前記回折装置上に導いて再構築プレーン内に第２色の第２部分画像を生成し、且つ、前記第３波長の可視単色光の第３ビームを前記回折装置上に導いて再構築プレーン内に第３色の第３部分画像を生成し、且つ、前記部分画像の前記第１、第２、及び第３色は、多色入力画像の３つの色に対応しており、
これにより、前記第１、第２、及び第３部分画像は、前記再構築プレーン内において少なくとも部分的にオーバーラップして多色画像を形成する、装置。
【請求項１３】
前記照射手段は、前記第１、第２、及び第３波長のうちのそれぞれの波長の可視単色光の３つの異なる供給源を含む請求項１２に記載の装置。
【請求項１４】
前記照射手段は、多色光源と、前記多色光源によって照射された際に前記第１、第２、及び第３波長の単色光の３つの別個のビームを生成するように構成された前記第１、第２、及び第３波長を生成するための光ファイバと、を含む請求項１２又は請求項１３のいずれかに記載の装置。
【請求項１５】
前記第１、第２、及び第３波長の間において切り替えるための切替手段を更に含む請求項１２乃至請求項１４のいずれか一項に記載の装置。
【請求項１６】
前記再構築プレーンにおいて又はその近傍において位置決めされた画面又は検出器を更に含み、前記多色画像を基準画像と比較して前記回折装置を認証するための比較手段を含む請求項１２乃至請求項１５のいずれか一項に記載の装置。
【手続補正書】
【提出日】平成28年8月23日(2016.8.23)
【手続補正１】
【補正対象書類名】特許請求の範囲
【補正対象項目名】全文
【補正方法】変更
【補正の内容】
【特許請求の範囲】
【請求項１】
2つの装置間で通信信号をやり取りするための高速電気ケーブルアセンブリであって：
a)  「差動ワイヤ」の少なくとも1つの対であって、前記差動ワイヤ間の電圧中性面が、前記差動ワイヤにのみ反対符号の電圧が供給されるときに電圧が略ゼロになる面として定義される、「差動ワイヤ」の少なくとも1つの対；
b)  前記電圧中性面に対して対称性を有する配置を有する「シングルエンドワイヤ」の少なくとも1つの組；
c)  機械的安定性を供するコアワイヤ；
を有する高速電気ケーブルアセンブリ。
【請求項２】
高速電気ケーブルアセンブリを介して2つの装置間で通信信号をやり取りする方法であって：
a)  反対符号を有する信号電圧を2つの「差動ワイヤ」へ供給する段階であって、前記2つの差動ワイヤは、前記2つの差動ワイヤ間の電圧中性面を、前記差動ワイヤのみに反対符号を有する電圧が供給されるときに電圧が略ゼロになる面と定める、段階；
b)  前記電圧中性面に対して対称性を有する配置を有する「シングルエンドワイヤの組」に他の信号電圧を供給する段階；
を有する方法。
【請求項３】
DC共通モード電圧がさらに前記差動ワイヤへ供給される、請求項2に記載の方法。
【請求項４】
前記シングルエンドワイヤの組は、前記電圧中性面に対して対称性を有するように配置されるシングルエンドワイヤの対を有する、請求項1に記載の高速電気ケーブルアセンブリ。
【請求項５】
前記差動ワイヤの対、前記シングルエンドワイヤの組、及び/又は、前記対若しくは組のワイヤは、電気シールドによって取り囲まれる、請求項1に記載の高速電気ケーブルアセンブリ。
【請求項６】
前記ケーブルアセンブリは、機械的安定性を供するコアワイヤを有する、請求項2に記載の方法。
【請求項７】
前記コアワイヤは、前記電圧中性面内に配置される、請求項1に記載の高速電気ケーブルアセンブリ。
【請求項８】
前記コアワイヤは、前記ケーブルアセンブリの少なくとも1つの他のワイヤと、及び/又は、前記ケーブルアセンブリのシールドと電気的に接続される、
請求項1に記載の高速電気ケーブルアセンブリ。
【請求項９】
前記コアワイヤは、非環状断面を有する、請求項1に記載の高速電気ケーブルアセンブリ。
【請求項１０】
前記ケーブルアセンブリは、同一の電圧中性面を有する前記差動ワイヤの少なくとも2つの対を有する、請求項1に記載の高速電気ケーブルアセンブリ。
【請求項１１】
前記対は、互いに最大距離とるように配置される、請求項10に記載の高速電気ケーブルアセンブリ。
【請求項１２】
前記コアワイヤは、前記差動ワイヤの前記対の間に配置される、請求項10に記載の高速電気ケーブルアセンブリ。
【請求項１３】
前記ケーブルアセンブリは、前記電圧中性面に対して幾何学的な対称性を有する、請求項1に記載の高速電気ケーブルアセンブリ。
【請求項１４】
前記差動ワイヤに供給される反対符号を有する電圧信号及び/又は前記シングルエンドワイヤへ供給されるさらなる信号電圧が、それぞれ約20MHzよりも高い周波数又は約5MHzよりも低い周波数を有するAC信号である、請求項2に記載の方法。
【請求項１５】
請求項1に記載の高速電気ケーブルアセンブリによって接続される第1装置及び第2装置を有する、医療システム。